(57)【要約】      （修正有）【課題】ボルトの頭部を内蔵した安全な折り畳み椅子を提供する。【解決手段】脚部フレームセット１０は軸桿１１を支軸として、左右２本の前支持フレームと、左右２本の後支持フレーム１３とを軸支する。左右２本の後支持フレーム１３には、適宜な位置にナット１３１を埋設する。また、軸桿１１の両端縁部にはそれぞれ左ネジ山１１１と、右ネジ山１１２とを螺刻する。また、軸桿１１の中間の位置は断面が楕円状を呈する扁平部１１３を形成する。軸桿１１と、前支持フレームと、後支持フレーム１３とを組み立てる場合、軸桿１１を前支持フレームに貫通させ、工具で軸桿１１の扁平部１１３を挟み、軸桿を回転させて左ネジ山１１１、右ネジ山１１２を後支持フレーム１３に埋設したナット１３１に螺合させる。このため、脚部フレームセット１０には外部に突起したネジの頭部が見られなくなる。【選択図】図４
0003118208.tif 000002
【実用新案登録請求の範囲】
【請求項１】
軸桿を支軸として、左右２本の前支持フレームと左右２本の後支持フレームとを軸支してなる脚部フレームセットと、該脚部フレームセットの中間に設ける座部と、該脚部フレームセットの一端に設ける背もたれセットと、該脚部フレームセットの左右両側に設ける肘掛とによって構成する折り畳み椅子であって、
該２本の後支持フレームの適宜な位置にナットを埋設するとともに、該軸桿の両端縁部にそれぞれ左ネジ山と、右ネジ山とを螺刻し、且つ中間の位置に断面が楕円状を呈する扁平部を形成し、該軸桿を該前支持フレームに貫通させ、該軸桿を回転させて左ネジ山、右ネジ山を該後支持フレームに埋設したナットに螺合させて、該脚部フレームを構成し、
該背もたれセットは、水平方向の両端縁部に貫通孔を形成した背もたれ本体と、係合孔を形成した中蓋と、該中蓋の係合孔に対応する位置に係合突起を形成した前部化粧板とによってなり、該貫通孔に該後支持フレームの上端を挿通させ、該中蓋を取りつけ、複数のネジで該背もたれ本体を該後支持フレームの上端に固定し、該前部化粧板の係合突起を該中蓋の係合孔に嵌挿し、該前部化粧板を固定して構成し、
該肘掛は管体を湾曲させてなり、一端の壁面に貫通孔を穿設し、別途該後支持フレームには、該肘掛の貫通孔に対応する位置にナットを埋設し、ネジを該貫通孔から該後支持フレームに埋設したナットに螺合させ、更に該肘掛を形成する管体の一端に栓を嵌着して構成することを特徴とする折り畳み椅子。
【考案の詳細な説明】
【技術分野】
【０００１】
この考案は折り畳み椅子に関し、特に脚部フレーム、背もたれ、肘掛などに用いるボルトの頭部を内蔵した安全な折り畳み椅子に関する。
【背景技術】
【０００２】
従来の折り畳み椅子は、交差させて折り畳みできるように構成してなる脚部フレームと、該脚部フレームの中間の位置に設けた座部と、該脚部フレームの一端に設けた背もたれと、及び座部の両側に組み付ける肘掛とによってなる。これら部材はネジ、またはリベットで回動自在に連結される。但し、ネジ、リベット、等の頭部が外部に露出しているため、使用者を傷つける場合がある。よって、安全な折り畳み椅子の開発が望まれている。
【考案の開示】
【考案が解決しようとする課題】
【０００３】
この考案は脚部フレーム、背もたれ、肘掛などの部材を連結するネジ等の頭部を部材の内部に隠し、表面を平坦にすることによって、使用者を傷つけることのない折り畳み椅子を提供することを課題とする。
【課題を解決するための手段】
【０００４】
そこで、本考案者は従来の技術に見られる欠点に鑑み鋭意研究を重ねた結果、軸桿を支軸として、左右２本の前支持フレームと左右２本の後支持フレームとを軸支してなる脚部フレームセットと、該脚部フレームセットの中間に設ける座部と、該脚部フレームセットの一端に設ける背もたれセットと、該脚部フレームセットの左右両側に設ける肘掛とによってなり、該２本の後支持フレームの適宜な位置にナットを埋設するとともに、該軸桿の両端縁部にそれぞれ左ネジ山と、右ネジ山とを螺刻し、且つ中間の位置に断面が楕円状を呈する扁平部を形成し、該軸桿を該前支持フレームに貫通させ、該軸桿を回転させて左ネジ山、右ネジ山を該後支持フレームに埋設したナットに螺合させて、該脚部フレームを構成し、該背もたれセットは、水平方向の両端縁部に貫通孔を形成した背もたれ本体と、係合孔を形成した中蓋と、該中蓋の係合孔に対応する位置に係合突起を形成した前部化粧板とによってなり、該貫通孔に該後支持フレームの上端を挿通させ、該中蓋を取りつけ、複数のネジで該背もたれ本体を該後支持フレームの上端に固定し、該前部化粧板の係合突起を該中蓋の係合孔に嵌挿し、該前部化粧板を固定して構成し、該肘掛は管体を湾曲させてなり、一端の壁面に貫通孔を穿設し、別途該後支持フレームには、該肘掛の貫通孔に対応する位置にナットを埋設し、ネジを該貫通孔から該後支持フレームに埋設したナットに螺合させ、更に該肘掛を形成する管体の一端に栓を嵌着して折り畳み椅子を構成することによって課題を解決できる点に着眼し、かかる知見に基づいて本発明を完成させた。
【０００５】
以下、この考案について具体的に説明する。
請求項１に記載する折り畳み椅子は、軸桿を支軸として、左右２本の前支持フレームと左右２本の後支持フレームとを軸支してなる脚部フレームセットと、該脚部フレームセットの中間に設ける座部と、該脚部フレームセットの一端に設ける背もたれセットと、該脚部フレームセットの左右両側に設ける肘掛とによって構成する折り畳み椅子であって、該２本の後支持フレームの適宜な位置にナットを埋設するとともに、該軸桿の両端縁部にそれぞれ左ネジ山と、右ネジ山とを螺刻し、且つ中間の位置に断面が楕円状を呈する扁平部を形成し、該軸桿を該前支持フレームに貫通させ、該軸桿を回転させて左ネジ山、右ネジ山を該後支持フレームに埋設したナットに螺合させて、該脚部フレームを構成し、該背もたれセットは、水平方向の両端縁部に貫通孔を形成した背もたれ本体と、係合孔を形成した中蓋と、該中蓋の係合孔に対応する位置に係合突起を形成した前部化粧板とによってなり、該貫通孔に該後支持フレームの上端を挿通させ、該中蓋を取りつけ、複数のネジで該背もたれ本体を該後支持フレームの上端に固定し、該前部化粧板の係合突起を該中蓋の係合孔に嵌挿し、該前部化粧板を固定して構成し、該肘掛は管体を湾曲させてなり、一端の壁面に貫通孔を穿設し、別途該後支持フレームには、該肘掛の貫通孔に対応する位置にナットを埋設し、ネジを該貫通孔から該後支持フレームに埋設したナットに螺合させ、更に該肘掛を形成する管体の一端に栓を嵌着して構成する。
【考案の効果】
【０００６】
本考案の折り畳み椅子は、ネジ、リベット等の頭部が外面に露出しないため、使用者を傷つけることなく使用上の安全を高めるといった利点を有する。
【考案を実施するための最良の形態】
【０００７】
この考案は、安全な折り畳み椅子を提供するものであって、軸桿を支軸として、左右２本の前支持フレームと左右２本の後支持フレームとを軸支してなる脚部フレームセットと、該脚部フレームセットの中間に設ける座部と、該脚部フレームセットの一端に設ける背もたれセットと、該脚部フレームセットの左右両側に設ける肘掛とによってなり、該２本の後支持フレームの適宜な位置にナットを埋設するとともに、該軸桿の両端縁部にそれぞれ左ネジ山と、右ネジ山とを螺刻し、且つ中間の位置に断面が楕円状を呈する扁平部を形成し、該軸桿を該前支持フレームに貫通させ、該軸桿を回転させて左ネジ山、右ネジ山を該後支持フレームに埋設したナットに螺合させて、該脚部フレームを構成し、該背もたれセットは、水平方向の両端縁部に貫通孔を形成した背もたれ本体と、係合孔を形成した中蓋と、該中蓋の係合孔に対応する位置に係合突起を形成した前部化粧板とによってなり、該貫通孔に該後支持フレームの上端を挿通させ、該中蓋を取りつけ、複数のネジで該背もたれ本体を該後支持フレームの上端に固定し、該前部化粧板の係合突起を該中蓋の係合孔に嵌挿し、該前部化粧板を固定して構成し、該肘掛は管体を湾曲させてなり、一端の壁面に貫通孔を穿設し、別途該後支持フレームには、該肘掛の貫通孔に対応する位置にナットを埋設し、ネジを該貫通孔から該後支持フレームに埋設したナットに螺合させ、更に該肘掛を形成する管体の一端に栓を嵌着して構成し、折り畳み椅子に用いるネジ等が表面に突起して使用者を傷つけることを防ぐという目的を、実現した。
係る構成の折り畳み椅子について、その構造と特徴を詳述するために具体的な実施例を挙げ、以下に説明する。
【実施例】
【０００８】
この考案による折り畳み椅子は、図１に開示するように交差して連結した折り畳み可能な脚部フレームセット１０と、脚部フレームセットの中間に設ける座部２０と、脚部フレームセット１０の上端に設ける背もたれセット３０と、脚部フレームセット１０の左右両側にそれぞれ設けられる肘掛４０とによってなる。
【０００９】
図２から４に開示するように、脚部フレームセット１０は軸桿１１を支軸として、左右２本の前支持フレーム１２と、左右２本の後支持フレーム１３とを軸支する。左右２本の後支持フレーム１３には、適宜な位置にナット１３１を埋設する。また、軸桿１１の両端縁部にはそれぞれ左ネジ山１１１と、右ネジ山１１２とを螺刻する。また、軸桿１１の中間の位置は断面が楕円状を呈する扁平部１１３を形成する。
【００１０】
上述する構造によって、軸桿１１と、前支持フレーム１２と、後支持フレーム１３とを組み立てる場合、軸桿１１を前支持フレームに貫通させ、工具で軸桿１１の扁平部１１３を挟み、軸桿を回転させて左ネジ山１１１、右ネジ山１１２を後支持フレーム１３に埋設したナット１３１に螺合させる。このため、脚部フレームセット１０には外部に突起したネジの頭部が見られなくなる。
【００１１】
図５から７に開示するように、背もたれセット３０は背もたれ本体３１と、中蓋３２と、前部化粧板３３とによってなる。背もたれ本体３１は、くりぬき部を形成したハウジングであって、水平方向の両端縁部に貫通孔３１１を形成し、該貫通孔に後支持フレーム１３の上端を挿通させ、更に中蓋３２を取りつけ、複数のネジ３２１で背もたれ本体３１を後支持フレーム１３の上端に固定する。また、中蓋３２には係合孔３２２を形成し、前部化粧板３３には中蓋３２の係合孔３２２に対応する位置に係合突起３３１を形成し、前部化粧板３３の係合突起３３１を中蓋３２の係合孔３２２に嵌挿して前部化粧板３３を固定する。よって、ネジ３２１の頭部が前部化粧板３３によって内部に隠され、背もたれセット３０の表面が平坦になる。よって、ネジの頭部で人体を傷つけることなく安全性を高めることができる。
【００１２】
図８、９に開示するように、肘掛４０は管体を湾曲させてなり、一端の壁面に貫通孔４１を穿設する。また、後支持フレーム１３には肘掛４０の貫通孔４１に対応する位置にナット１３２を埋設し、ネジ４２を肘掛４０の貫通孔から後支持フレーム１３に埋設したナット１３２に螺合させる。更に、肘掛４０を形成する管体の一端には栓４３を嵌着する。よって、ネジの頭部が管体内に隠される。
【００１３】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１４】
【図１】この考案による折り畳み椅子の外観を示した斜視図である。
【図２】この考案における支持脚フレームを示した斜視図である。
【図３】この考案における軸桿の斜視図である。
【図４】図２に開示する支持脚フレームの取りつけ構造を示した説明図である。
【図５】この考案における背もたれセットの分解図である。
【図６】図５に開示する背もたれセットの本体を後支持フレームに取り付けた状態を示した説明図である。
【図７】図５に開示する背もたれセットの断面図である
【図８】この考案における肘掛の分解図である。
【図９】図８に開示する肘掛を取り付けた状態を示した説明図である。
【符号の説明】
【００１５】
１０          脚部フレームセット
１１          軸桿
１１１        左ネジ山
１１２        右ネジ山
１１３        扁平部
１２          前支持フレーム
１３          後支持フレーム
１３１        ナット
１３２        ナット
２０          座部
３０          背もたれセット
３１          背もたれ本体
３１１        貫通孔
３２          中蓋
３２１        ネジ
３２２        係合孔
３３          前部化粧板
３３１        係合突起
４０          肘掛
４１          貫通孔
４２          ネジ
４３          栓
【図１】
0003118208.tif 000003
【図２】
0003118208.tif 000004
【図３】
0003118208.tif 000005
【図４】
0003118208.tif 000006
【図５】
0003118208.tif 000007
【図６】
0003118208.tif 000008
【図７】
0003118208.tif 000009
【図８】
0003118208.tif 000010
【図９】
0003118208.tif 000011